(57)【要約】【課題】遮音、断熱、遮光用の布地と、それを窓際に取り付け、その取り付けを容易にする窓まわりのインテリヤを得ることを目的とする。【解決手段】複数枚の目の粗い網状の布地の間に、少なくとも二枚のプラスチックフィルムを挟み込んで構成した遮音、断熱、遮光用布地、窓サッシュの窓枠にハンガー布を通した突っ張りポールを、窓枠の両側に圧着して取り付け、前記記載の遮音、断熱、遮光用布地を用いた窓パネルを、前記ハンガー布に取り付け、この窓パネルの裏面に、角布が取り付けられており、これに紐を通して吊り金具が取り付けられ、前記突っ張りポールに前記吊り金具が掛けられ、巻き上げ固定されるようにしたことを特徴とする窓パネル装具。【選択図】図２
0003125806.tif 000002
【実用新案登録請求の範囲】
【請求項１】
複数枚の目の粗い網状の布地の間に、少なくとも二枚のプラスチックフィルムを挟み込んで構成したことを特徴とする遮音、断熱、遮光用布地の構成。
【請求項２】
窓サッシュの窓枠にハンガー布を通した突っ張りポールを、窓枠の両側に圧着して取り付け、ハンガー布には面接着テープが縫い付けなどで取り付けられ、これに相対して請求項１記載の遮音、断熱、遮光用布地を用いた窓パネルの裏面上端に、縫い付けなどで取り付けられた面接着テープによって、前記ハンガー布に圧着して取り付けられるようになり、窓パネルの裏面には、角布が縫い付けなどで取り付けられており、これに紐を通して吊り金具が取り付けられ、前記突っ張りポールに前記吊り金具が掛けられ、巻き上げ固定されるようにしたことを特徴とする窓パネル装具。
【考案の詳細な説明】
【技術分野】
【０００１】  この考案は、窓に取り付ける遮音性、断熱性などを備えた布地とその装具に関するものである。
【背景技術】
【０００２】  従来において、カーテンの持つ室内装飾性とは別に、さらに遮音、断熱、遮光などの機能を持たせた布地を窓際に取り付けようとすると、一般にそのような布地は厚く、重く、硬くて取り扱いが簡単、容易ではないことが挙げられる。
【考案の開示】
【考案が解決しようとする課題】
【０００３】  この考案は、遮音、断熱、遮光などの機能を持たせた布地と、それを窓際に取り付け、さらにその取り付けを容易にするところの窓まわりのインテリヤを得ることを目的とするものである。
【課題を解決するための手段】
【０００４】  複数枚の目の粗い網状の布地の間に、少なくとも二枚のプラスチックフィルムを挟み込んで構成したことを特徴とする遮音、断熱、遮光用の布地（Ａ）の構成であり、遮音性、断熱性、遮光性などの優れたカーテン、窓パネルなどを得ることができる。前記布地（Ａ）は、たとえば目の粗い網状の布地（Ｌ１），（Ｌ２），（Ｌ３），（Ｌ４），（Ｌ５）の５枚の間に、厚さ０．３ｍｍのプラスチックフィルム（Ｆ１），（Ｆ２），（Ｆ３），（Ｆ４）の４枚を挟み込んだことを特徴とする構成とする。【０００５】  また窓サッシュ（Ｋ）の窓枠（Ｒ）にハンガー布（Ｍ１），（Ｍ２），（Ｍ３）を通した突っ張りポール（Ｐ）を、窓枠（Ｒ）の両側に圧着して取り付け、ハンガー布（Ｍ１），（Ｍ２），（Ｍ３）には面接着テープが縫い付けなどで取り付けられ、これに相対して前記記載の遮音、断熱、遮光用の布地（Ａ）を用いた窓パネル（Ａ１），（Ａ２）の裏面上端に、縫い付けなどで取り付けられた面接着テープによって、前記ハンガー布（Ｍ１），（Ｍ２），（Ｍ３）に圧着して取り付けられるようになり、窓パネル（Ａ１），（Ａ２）の裏面には、上から約１／４のところに角布（Ｓ）が縫い付けなどで取り付けられており、これに紐（Ｙ）を通して、吊り金具（Ｈ）が取り付けられ、前記突っ張りポール（Ｐ）に前記吊り金具（Ｈ）が掛けられ、巻き上げ固定されるようにしたことを特徴とする窓パネル装具の構成によって、前記の遮音、断熱、遮光などの機能を持たせた布地を、窓際に容易に取り付けることができる。
【考案の効果】
【０００６】  この考案は、遮音、断熱、遮光などの機能を持つ布地と、それを窓際に取り付ける装具などに関するものである。音も熱も空気中を空気の波動や対流によって容易に伝わるが、空気を遮断することにより著しくそれらの伝播、伝導を制限することができる。空気を遮断するにはプラスチックフィルムが有効であり、その厚みを厚くすれば一層効果的であるが、前記布地全体の風合上、０．３ｍｍより厚くすると風合が硬くなり、取り扱いが困難で使用し難くなるので、０．３ｍｍ厚さを取り扱い上の限度として、これを二枚以上重ねて用いることによって、硬さや全体の風合を余り変えずに、遮音性や断熱性などを高めた布地を得ることができる。そしてプラスチックフィルムを複数枚重ねるとき、相互に接着しないように、その間に網地を挟むことが有効である。【０００７】  これによって複数枚のプラスチックフィルムと網地からなるところの、遮音性、断熱性、遮光性に優れた布地となる。このようにして得られた布地を、従来のカーテン布地としてカーテンレールに吊して使用することだけでなく、窓枠に突っ張りポールを圧着して取り付け、これを吊すことによって、カーテンレールを用いずに、より簡便な、取り付け、取り扱いが可能となる。さらに前述の布地を窓枠一杯、全面に取り付けることによって、カーテンとして使用した場合、カーテンの上下左右の端が空いているために生じた空気の漏洩を防ぎ、したがって音や熱の漏洩を容易に最小限とすることが可能となる。このようにしてこの考案は、遮音、断熱さらに遮光の効果を備えたところの有用な窓まわりのインテリヤ装具を提供することができる。
【考案を実施するための最良の形態】
【０００８】  複数枚の目の粗い網状の布地の聞に、少なくとも二枚のプラスチックフィルムを挟み込んで構成したことを特徴とする遮音、断熱、遮光用布地の構成であり、遮音性、断熱性、遮光性などの優れたカーテン、窓パネルとなり、カーテンとしてつり下げ、また窓サッシュ（Ｋ）の窓枠（Ｒ）にハンガー布（Ｍ１），（Ｍ２），（Ｍ３）を通した突っ張りポール（Ｐ）を、窓枠（Ｒ）の両側に圧着して取り付け、ハンガー布（Ｍ１），（Ｍ２），（Ｍ３）には面接着テープが縫い付けなどで取り付けられ、これに相対して前記記載の遮音、断熱、遮光用布地（Ａ）を用いた窓パネル（Ａ１），（Ａ２）の裏面上端に、縫い付けなどで取り付けられた面接着テープによって、前記ハンガー布（Ｍ１），（Ｍ２），（Ｍ３）に圧着して取り付けられるようになり、窓パネル（Ａ１），（Ａ２）の裏面には、上から約１／４のところに角布（Ｓ）が縫い付けなどで取り付けられており、これに紐（Ｙ）を通して、吊り金具（Ｈ）が取り付けられ、前記突っ張りポール（Ｐ）に前記吊り金具（Ｈ）が掛けられ、巻き上げ固定されるようにしたことを特徴とする窓パネル装具の構成によって、前記の遮音、断熱、遮光などの機能を持たせた布地を、窓際に容易に取り付けることができる。
【実施例】
【０００９】  この考案を図について説明する。布地が厚くて硬くて重くても前述のように使用上の制限が無く、逆にそのことによって遮音性、断熱性、遮光性などが高くなることから、布地（Ａ）は図１において示すように、目の粗い網状の布地（Ｌ１），（Ｌ２），（Ｌ３），（Ｌ４），（Ｌ５）の五枚の間に、厚さ０．３ｍｍのプラスチックフィルム（Ｆ１），（Ｆ２），（Ｆ３），（Ｆ４）の四枚を挟み込んで一体化した構成とする。このフィルムの厚さはそれを厚くすると硬くなり、使用上困難になるので、その厚さは０．３ｍｍを限度とし、これを複数枚重ねて用いることとし、またこれらのフィルムが重なって、部分的に接着するなどして布さばきが悪くなるのを避けるために、フィルム間に上記のように網状の布地を挟むものとする。このようにして複数枚のプラスチックフィルムを用いることにより、遮音性、断熱性、遮光性などの優れた、カーテン材、窓パネル材を得ることができる。【００１０】  つぎに図２は、ガラス戸（Ｔ）を嵌め込んだ窓サッシュ（Ｋ）が、窓枠（Ｒ）に取り付けられている。この窓枠（Ｒ）にハンガー布［窓パネルと同質など］（Ｍ１），（Ｍ２），（Ｍ３）を通した突っ張りポール（Ｐ）が、窓枠（Ｒ）の両側に圧着して取り付けられている。さらにハンガー布（Ｍ１），（Ｍ２），（Ｍ３）には面接着テープが縫い付けなどで取り付けられ、これに相対して前述の布地（Ａ）からなる窓パネル（Ａ１），（Ａ２）がその裏面上端に、縫い付けなどで取り付けられた面接着テープによって、ハンガー布（Ｍ１），（Ｍ２），（Ｍ３））に圧着して取り付けられている。【００１１】  図３（イ）は例示として窓パネル（Ａ１）の裏面を示すもので、上から約１／４のところに角布（Ｓ）が縫い付けなどで取り付けられており、これに紐（Ｙ）を通して、吊り金具（Ｈ）が取り付けられている。さらに図３（ロ）において、窓パネル（Ａ１）は四つ折りして裏面の吊り金具（Ｈ）により、ハンガー布（Ｍ１），（Ｍ２）の切れ目のところで突っ張りポール（Ｐ）に吊り金具（Ｈ）が掛けられ巻き上げ固定されている。このようにして機能性の高い布地がたとえそれが厚くて、硬くまた重いものでも容易に窓回りに取り付けることができることとなる。また取り扱いも簡単で、窓の開閉する際には、これらの窓パネル（Ａ１），（Ａ２）は容易に折り畳んで吊り上げることができ、何ら支障とならない。
【産業上の利用可能性】
【００１２】  この考案は複数枚のプラスチックフィルムと網地からなるところの、遮音性、断熱性、遮光性に優れた布地となり、この布地を従来のカーテン布地としてカーテンレールに吊して使用することだけでなく、窓枠に突っ張りポールを圧着して取り付け、これを吊すことによって、カーテンレールを用いずに、より簡便な取り付け、取り扱いが可能となる。なおこの布地をカーテンとして使用した場合、窓枠一杯に取り付けることによって、カーテンの上下左右の端が空いているために生じた空気の漏洩を防ぎ、したがって音や熱の漏洩を容易に最小限とすることが可能となる。【００１３】  またこの考案の窓パネル装具は、従来のカーテンのように、レールの取り付けなどの工事を要せず、窓まわりの遮音、断熱、遮光効果をもたらし、また外部からの視線の制限も確実に行われ、その他、布地に揆水加工、防臭加工、抗菌加工、防炎加工、紫外線吸着加工などの機能性加工を付加することにより、多くの利便性をもったカーテン、窓パネルとなる。この窓パネルとしては、面接着テープによりそれを簡便に窓サッシへの取り付けができ、取り付け、取り外しが容易であって、反復して着脱が可能であり、それによってカーテン同様、窓パネルを洗濯して取り付けたり、また色や柄を異にしたものと交換して用いることにより、変化をもたらし、一段と装飾効果を高め、変化をもたらすことができる。
【図面の簡単な説明】
【００１４】
【図１】この考案の布地の構成を説明する図。
【図２】この考案の布地を、窓パネルとして使用した状態を示す図。
【図３】この考案の布地を、窓パネルとして使用した際の、吊り上げ、吊り下げの状態を示す図。
【符号の説明】
【００１５】
【００１６】  （Ａ）  布地
（Ａ１），（Ａ２）  窓パネル
（Ｋ）  窓サッシュ
（Ｒ）  窓枠
（Ｔ）  ガラス戸
（Ｐ）  突っ張りポール
（Ｈ）  吊り金具
（Ｍ１），（Ｍ２），（Ｍ３）  ハンガー布
（Ｓ）  角布
【図１】
0003125806.tif 000003
【図２】
0003125806.tif 000004
【図３】
0003125806.tif 000005